(57)【要約】【課題】  トレイ上のディスクが後進側に移動して大きく外れるのを阻止する。【解決手段】  トレイ５を前後進ａ，ｂ可能に支持するローダーシャーシ６と、光ピックアップ７及びターンテーブル８を搭載したトラバースシャーシとを備え、トレイ５の中央から後端近傍まで開口部１７が開設されると共に、該トレイ５の上面５ａの中央に小径ディスクを載置するための小径凹部１８と大径ディスクを載置するための大径凹部１９とが同心状に形成され、トレイ５の上面５ａの大径凹部１９と開口部１７との間の２つのコーナ部Ａに一対のピン３２ａ，３２ｂが一体突設され、該両ピン３２ａ，３２ｂに隣接してローダーシャーシ６を覆う遮蔽箱２５の天板部に複数の突起部３３ａ〜３３ｃが突設されており、トレイ５上のディスクが大径凹部１９を越えて後進ｂ側へ移動しようとするのを両ピン３２ａ，３２ｂ及び各突起部３３ａ〜３３ｃで阻止する。【選択図】        図１
2009266274.tif 000002
【特許請求の範囲】
【請求項１】
トレイを前後進可能に支持するローダーシャーシと、該ローダーシャーシに上下動可能
に枢支されて光ピックアップ及びターンテーブルを搭載したトラバースシャーシとを備え
た装置本体が設けられ、前記光ピックアップ及びターンテーブルに対向して前記トレイの
中央から後端近傍まで前後進方向に沿って開口部が開設されると共に、該トレイの上面の
中央に小径ディスクを載置するための小径凹部と大径ディスクを載置するための大径凹部
とが同心状に形成されており、トラバースシャーシを上動させてターンテーブルにより小
径凹部内の小径ディスクまたは大径凹部内の大径ディスクを持ち上げ、その持ち上げたデ
ィスクをターンテーブルにより高速回転させ、該ディスクに記録されている情報を光ピッ
クアップを介して読み取るようにしたディスク装置において、前記トレイの上面の大径凹
部と開口部との間の２つのコーナ部に一対のピンが一体突設され、該両ピンに隣接して前
記ローダーシャーシを覆う遮蔽箱の天板部に複数の突起部が突設されており、トレイ上の
ディスクが大径凹部を越えて後進側へ移動しようとするのを両ピン及び各突起部で阻止す
るようにしたことを特徴とするディスク装置。
【請求項２】
前記各突起部が両ピン間の中央と該各ピンから所定間隔をおいた外側とに３つ設けられ
、その３つの突起部の外周面が下すぼまりのテーパ状に形成されると共に、該各突起部の
下端面の外径が両ピンの外径よりも大きく設定され、中央の突起部の下端面とトレイの上
面との間の間隔がディスクの厚さよりも小さく設定され、各突起部が両凹部の軸心から所
定半径の基準仮想円上に位置決めされ、両ピンが前記基準仮想円上または該基準仮想円と
同心でそれよりわずかに大径の外側仮想円上に位置決めされていることを特徴とする請求
項１に記載のディスク装置。
【請求項３】
前記両ピンの上端面の水平レベルに対して各突起部の下端面の水平レベルが下方に位置
決めされていることを特徴とする請求項１または２に記載のディスク装置。
【発明の詳細な説明】
【技術分野】
【０００１】
本発明は、例えばＤＶＤレコーダやＤＶＤプレーヤなどのディスク装置に関し、特に、
トレイ上のディスクが後進側に大きく外れるのを阻止するようにしたものである。
【背景技術】
【０００２】
従来、ディスク装置の一例として図１０〜図１２に示すものがあり、図１０は同水平断
面図、図１１は同縦断面図、図１２は同要部の斜視図である。
【０００３】
図１０〜図１２に示すように、ディスク装置は、筐体１内に装置本体２と制御部３とを
配置したものであって、筐体１は天板部１ａ及び底板部１ｂと前板部１ｃとにより矩形箱
状に形成されている。
【０００４】
図１０及び図１１に示すように、前記装置本体２は、トレイ５を前後進ａ，ｂ可能に支
持するローダーシャーシ６と、該ローダーシャーシ６に上下動ｃ，ｄ可能に枢支されて光
ピックアップ７及びターンテーブル８を搭載したトラバースシャーシ９とを備え、ローダ
ーシャーシ６の前部にカムスライダ１０が前後進ａ，ｂ方向とは直交する左右方向ｅ，ｆ
に沿ってスライド可能に配置され、該カムスライダ１０に形成したカム溝１１ａとトラバ
ースシャーシ９の前部に突設されてカム溝１１ａに嵌入するカム軸１１ｂとからなるカム
機構１１によりカムスライダ１０とトラバースシャーシ９とが連動連結されている。
【０００５】
図１０及び図１１に示すように、ターンテーブル８に対向してローダーシャーシ６の両
側板６ａ間に架設した横桁１４にクランパ１５が一定範囲内昇降可能に配置されている。
なお、１６はターンテーブル８を高速回転させるためのスピンドルモータである。
【０００６】
図１０及び図１１に示すように、トレイ５の中央から後端近傍まで前後進ａ，ｂ方向に
沿って開口部１７が開設されると共に、該トレイ５の上面５ａの中央に８ｃｍの小径ディ
スクＤａを載置するための小径凹部１８と１２ｃｍの大径ディスクＤｂを載置するための
大径凹部１９とが同心状に形成されている。
【０００７】
図１０に示すように、前記制御部３は、各種電子部品を搭載したＡＶプリント基板２０
及びメイン基板２１を有している。
【０００８】
上記構成において、プレイモードでは、トラバースシャーシ９を上動ｃさせてターンテ
ーブル８により小径凹部１８内の小径ディスクＤａまたは大径凹部１９内の大径ディスク
Ｄｂを持ち上げ、該ターンテーブル８とクランパ１５とでディスクＤａ（またはＤｂ）を
クランプし、そのクランプしたディスクＤａ（またはＤｂ）をターンテーブル８により高
速回転させ、該ディスクＤａ（またはＤｂ）に光ピックアップ７の対物レンズＯＬを通し
てレーザ光を投射し、その反射光を光ピックアップ７を介して受光し、その受光信号に基
づいてディスクＤａ（またはＤｂ）に記録されている情報を読み取り、モニター（図示せ
ず）に映像を再生したり録画する。
【０００９】
プレイモードでアンローディング信号が入力されると、カムスライダ１０を矢印ｅ（ま
たは矢印ｆ）方向にスライドさせてトラバースシャーシ９を下動ｄさせ（図１１参照）、
ターンテーブル８からトレイ５にディスクＤａ（またはＤｂ）を受け渡した後、該トレイ
５を前進ａさせ（図１１仮想線参照）、そのトレイ５からディスクＤａ（またはＤｂ）を
取り出し新たなディスクＤａ（またはＤｂ）をトレイ５上に載置する。
【００１０】
続いて、ローディング信号が入力されると、トレイ５を後進ｂさせてローダーシャーシ
６内に収納した後、カムスライダ１０を矢印ｆ（または矢印ｅ）方向にスライドさせてト
ラバースシャーシ９を上動ｃさせることにより、トレイ５上のディスクＤａ（またはＤｂ
）をターンテーブル８とクランパ１５とでクランプする。
【００１１】
上記構成において、図１１に仮想線で示すように、トレイを前進ａさせた状態で電源オ
フにすると、トラバースシャーシ９が下動ｄ状態のままで停止され、この状態で、指部に
よりトレイ５を後進ｂ側に強制的に押し込んで、そのトレイ５をローダーシャーシ６内に
戻すと、図１１に実線で示すように、ターンテーブル８が下がった状態で保持され、その
ターンテーブル８とクランパ１５とでトレイ５上のディスクＤａ（またはＤｂ）がクラン
プされない。
【００１２】
そのクランプされていない状態で、図１１に仮想線で示すように、筐体１を例えば別の
場所に運ぶために傾けると、トレイ５上のディスクＤａ（またはＤｂ）が大径凹部１９を
越えて後進ｂ側に大きく移動して外れることがあり、この状態から電源オンとし、アンロ
ーディング信号に基づいてトレイ５を前進ａさせると、ディスクＤａ（またはＤｂ）が後
方に取り残されるおそれがある。
【００１３】
上記問題を解決する技術として特許文献１に記載したものがある。これは、図１０及び
図１１に示すように、合成樹脂製天板部１ａの下面後方の中央及びその左右両端の３箇所
に突起部２３ａ〜２３ｃが一体突設され、その中央の突起部２３ｂがトレイ５の後端縁中
央に接近してその後方に位置決めされ、その左右両端の突起部２３ａ，３ｃがトレイ５の
両側縁凹段部５ｂの上方に配置され、その各突起部２３ａ〜２３ｃの下端がトレイ５の上
面５ａよりも下方に位置決めされたものである。
【００１４】
上記構成において、筐体１を傾けることにより（図１１仮想線参照）、トレイ５上の大
径ディスクＤｂが後進ｂ側に大きく移動したとき、大径ディスクＤｂの場合には、仮想線
Ｓｂで示すように、３つの突起部２３ａ〜２３ｃでその移動が阻止され、小径ディスクＤ
ａの場合には、仮想線Ｓａで示すように、２つの突起部２３ａ，２３ｂ（または２３ｂ，
２３ｃ）でその移動が阻止され、これによって、ディスクＤａ（またはＤｂ）が後方に取
り残されないようにしている。
【特許文献１】特開２００６−１７９０７６号公報
【発明の開示】
【発明が解決しようとする課題】
【００１５】
上記従来の構成では、ローダーシャーシ６内に収納したトレイ５の大径凹部１９に対し
て各突起部２３ａ〜２３ｃがかなり後方に位置決めされているから、図１１に仮想線Ｓａ
で示すように、２つの突起部２３ｂ，２３ｃ（または２３ａ，２３ｂ）で小径ディスクＤ
ａの移動を阻止したときに、該小径ディスクＤａが大径凹部１９から後進ｂ側に大きく外
れてトレイ５の上面５ａに水平状態で乗り上げることになり、これでは、トレイ５の前進
ａにより、その小径ディスクＤａがクランパ１５や横桁１４及びまたはローダーシャーシ
６の側板６ａに接触して損傷されるおそれがある。
【００１６】
また、各突起部２３ａ〜２３ｃが比較的細くて長い合成樹脂材で形成されているので、
搬送時や倉庫内の高温雰囲気によりその各突起部２３ａ〜２３ｃが熱変形されることがあ
り、その熱変形により各突起部２３ａ〜２３ｃの機能が低下するおそれがある。
【００１７】
本発明は、上記従来の欠点に鑑み、トレイ上のディスクが後進側に移動して大きく外れ
るのを阻止するようにしたディスク装置を提供することを目的としている。
【課題を解決するための手段】
【００１８】
上記目的を達成するため、請求項１記載の発明は、トレイを前後進可能に支持するロー
ダーシャーシと、該ローダーシャーシに上下動可能に枢支されて光ピックアップ及びター
ンテーブルを搭載したトラバースシャーシとを備えた装置本体が設けられ、前記光ピック
アップ及びターンテーブルに対向して前記トレイの中央から後端近傍まで前後進方向に沿
って開口部が開設されると共に、該トレイの上面の中央に小径ディスクを載置するための
小径凹部と大径ディスクを載置するための大径凹部とが同心状に形成されており、トラバ
ースシャーシを上動させてターンテーブルにより小径凹部内の小径ディスクまたは大径凹
部内の大径ディスクを持ち上げ、その持ち上げたディスクをターンテーブルにより高速回
転させ、該ディスクに記録されている情報を光ピックアップを介して読み取るようにした
ディスク装置において、前記トレイの上面の大径凹部と開口部との間の２つのコーナ部に
一対のピンが一体突設され、該両ピンに隣接して前記ローダーシャーシを覆う遮蔽箱の天
板部に複数の突起部が突設されており、トレイ上のディスクが大径凹部を越えて後進側へ
移動しようとするのを両ピン及び各突起部で阻止するようにしたことを特徴としている。
【００１９】
請求項２に記載の発明は、請求項１に記載の発明において、前記各突起部が両ピン間の
中央と該各ピンから所定間隔をおいた外側とに３つ設けられ、その３つの突起部の外周面
が下すぼまりのテーパ状に形成されると共に、該各突起部の下端面の外径が両ピンの外径
よりも大きく設定され、中央の突起部の下端面とトレイの上面との間の間隔がディスクの
厚さよりも小さく設定され、各突起部が両凹部の軸心から所定半径の基準仮想円上に位置
決めされ、両ピンが前記基準仮想円上または該基準仮想円と同心でそれよりわずかに大径
の外側仮想円上に位置決めされていることを特徴としている。
【００２０】
請求項３に記載の発明は、請求項１または２に記載の発明において、前記両ピンの上端
面の水平レベルに対して各突起部の下端面の水平レベルが下方に位置決めされていること
を特徴としている。
【発明の効果】
【００２１】
請求項１に記載の発明によれば、ローダーシャーシ内に収納したトレイ上のディスクが
クランプされていない状態で、筐体を例えば別の場所に運ぶために傾けることにより、ト
レイ上のディスクが大径凹部を越えて後進側に移動して大きく外れようとしても、その移
動をトイレ側の両ピン及び遮蔽箱側の各突起部で阻止するので、該ディスクを大径凹部内
にとどめて、そのディスクがローダーシャーシ内の後部に取り残されて取出し不能になる
のを確実に防ぐことができる。
【００２２】
特に、前記両ピン及び各突起部が大径凹部に接近して位置決めされており、小径ディス
クであっても従来のように大径凹部から後進側に大きく外れてトレイの上面に乗り上げる
ことがないから、その小径ディスクをローダーシャーシ外にスムーズに取り出すことがで
きる。
【００２３】
また、両ピン及び各突起部が比較的短いから、搬送時や倉庫内の高温雰囲気により該両
ピン及び各突起部が熱変形されることがなく、その両ピン及び各突起部の機能を確実に維
持することができる。
【００２４】
請求項２に記載の発明によれば、筐体を例えば別の場所に運ぶために傾けることにより
、トレイ上のディスクがローダーシャーシの側板に接触した状態で大径凹部を越えて後進
側に移動したとしても、該ディスクの外周縁が対向する外側の突起部のテーパ状外周面に
沿って押し下げられながらトレイの中央に向かって導かれて隣接するピンと中央の突起部
とで移動を阻止されるから、小径ディスクであっても、ローダーシャーシの側板に接触し
て損傷されないようにした状態でローダーシャーシ外に確実に取り出すことができる。
【００２５】
請求項３に記載の発明によれば、両ピンの上端面と各突起部の下端面とが互いに重合さ
れているから、ディスクがその両ピンと各突起部との間をくぐり抜けるのを確実に阻止す
ることができる。
【発明を実施するための最良の形態】
【００２６】
図１〜図９は本発明の実施の一形態であるディスク装置を示すものであって、図１は同
水平断面図、図２は同装置本体の斜視図、図３は同装置本体の分解斜視図、図４は同プレ
イモードの縦断面図、図５は同トレイのローダーシャーシ収納状態の平面図、図６は同要
部の拡大横断面図、図７は同アンクランプ状態の縦断面図、図８は同小径ディスクの移動
阻止状態を示す平面図、図９（ａ）は同小径ディスクの移動阻止状態の前段階を示す要部
の拡大縦断面図、図９（ｂ）は同後段階を示す要部の拡大縦断面図である。
【００２７】
図１に示すように、装置本体２が電磁シールド機能を備えた金属板製遮蔽箱２５内に収
納され、その遮蔽箱２５付き装置本体２が筐体１内に配置され、該筐体１の前板部１ｃに
形成したディスク取出口２６にドア２７が開閉可能に配置されている。上記以外の構成で
図１０〜図１２に示す構成と同一部分に同一符号を付してその説明を省略する。
【００２８】
図１〜図３に示すように、前記遮蔽箱２５は、プレス成形されたボトムシャーシ２５Ａ
とトップシャーシ２５Ｂとからなり、そのボトムシャーシ２５Ａは、平面視矩形状底板部
２５ａと、該底板部２５ａの両側縁を折り曲げて形成された一対の基台部２５ｂ及び一対
の受台部２５ｃと、その底板部２５ａの前後両側縁から起立させた前後一対の起立板部２
５ｄ，２５ｅとを有し、その前側起立板部２５ｄにトレイ取出口２８が形成され、前記各
基台部２５ｂにローダーシャーシ６の脚部６ｂが止着されている。
【００２９】
前記トップシャーシ２５Ｂは、天板部２５ｆと、該天板部２５ｆの両側縁及び後端縁か
ら下向き直角に折り曲げて形成された左右両側板部２５ｇ，２５ｈ及び後板部２５ｉと、
左右両側板部２５ｇ，２５ｈの下端から外向きに直角に折り曲げて形成された一対の縁板
部２５ｊとを有し、該各縁板部２５ｊが前記各受台部２５ｃに載置されてビス２９により
止着されている。なお、３０は天板部２５ｆにプレス成形した補強枠である。
【００３０】
図４に示すように、トラバースシャーシ９は、後部をゴムからなる後側弾性体３８を介
してローダーシャーシ６に連結されたシャーシ本体９ａと、該シャーシ本体９ａの前部に
ゴムからなる前側弾性体３９を介して連結された昇降体９ｂとからなり、シャーシ本体９
ａにターンテーブル８付きスピンドルモータ１６及び光ピックアップ７が搭載され、昇降
体９ｂにカム軸１１ｂが一体突設されている。なお、図１中、４０は駆動ピニオンであっ
て、カムスライダ１０の一端に形成したカムラック１０ａに噛合して該カムスライダ１０
を左右方向ｅ，ｆにスライドさせたり、トレイ５の下面に一体形成したトレイラック（図
示せず）に噛合して該トレイ５を前後進ａ，ｂさせる。
【００３１】
上記構成において、図４の実線はプレイモードを示しており、その動作は冒頭に述べた
従来例とほぼおなじであるから、その説明を省略する。
【００３２】
プレイモードでアンローディング信号が入力されると、駆動ピニオン４０を回転駆動し
てカムスライダ１０を矢印ｅ方向にスライドさせることにより、カム機構１１を介してト
ラバースシャーシ９を下動ｄさせ（図４一点鎖線参照）、ターンテーブル８からトレイ５
にディスクＤａ（またはＤｂ）を受け渡した後、駆動ピニオン４０にトレイラック（図示
せず）を噛合させてトレイ５を前進ａさせ（図４二点鎖線参照）、該トレイ５からディス
クＤａ（またはＤｂ）を取り出し新たなディスクＤａ（またはＤｂ）をそのトレイ５上に
載置する。
【００３３】
続いて、ローディング信号が入力されると、上記とは逆の手順で、トレイ５を後進ｂさ
せてローダーシャーシ６内に収納した後、カムスライダ１０を矢印ｆ方向にスライドさせ
てトラバースシャーシ９を上動ｃさせることにより、トレイ５上のディスクＤａ（または
Ｄｂ）をターンテーブル８とクランパ１５とでクランプする（図４実線参照）。
【００３４】
図２〜図６に示すように、トレイ５の上面５ａの大径凹部１９と開口部１７との間の２
つのコーナ部Ａに一対のピン３２ａ，３２ｂが一体突設され、該両ピン３２ａ，３２ｂに
隣接して天板部２５ｆに複数の突起部３３ａ〜３３ｃがプレス成形されている。
【００３５】
図５及び図６に示すように、前記各突起部３３ａ〜３３ｃは、両ピン３２ａ，３２ｂ間
の中央と該各ピン３２ａ，３２ｂから所定間隔ｈをおいた外側とに３つ設けられ、その３
つの突起部３３ａ〜３３ｃの外周面３４が下すぼまりのテーパ状に形成されると共に、該
各突起部３３ａ〜３３ｃの下端面３５の外径ｄ１が両ピン３２ａ，３２ｂの外径ｄ２より
も大きく設定され、中央の突起部３３ｂの下端面３５とトレイ５の上面５ａとの間の間隔
ｋがディスクＤａ（またはＤｂ）の厚さｔ〔図９（ａ）参照〕よりも小さく設定され、各
突起部３３ａ〜３３ｃが両凹部１８，１９の軸心Ｏから所定半径Ｒの基準仮想円Ｐａ上に
位置決めされ、その基準仮想円Ｐａ上に両ピン３２ａ，３２ｂも位置決めされ、該両ピン
３２ａ，３２ｂの上端面３６の水平レベルＬａに対して各突起部３３ａ〜３３ｃの下端面
３５の水平レベルＬｂが所定間隔βをおいて下方に位置決めされている。
【００３６】
具体的寸法の一例を示すと、図５及び図６において、各突起部３３ａ〜３３ｃの配置角
度αが５０°、各突起部３３ａ〜３３ｃの下端面３５の外径ｄ１が３ｍｍ、中央突起部３
３ｂの突出幅ｍ１が１．５ｍｍ、外側突起部３３ａ，３３ｃの突出幅ｍ２が１ｍｍ、軸心
Ｏから各突起部３３ａ〜３３ｃの中心までの半径Ｒが６５ｍｍである。
【００３７】
各ピン３２ａ，３２ｂから外側突起部３３ａ，３３ｃまでの間隔ｈが１０ｍｍ、各ピン
３２ａ，３２ｂの外径ｄ２が１．５ｍｍ、各ピン３２ａ，３２ｂの高さｍ３が２．２５ｍ
ｍ、水平レベルＬａ，Ｌｂ間の間隔βが０．５〜１．５ｍｍである。
【００３８】
図４に二点鎖線で示すように、トレイを前進ａさせた状態で電源オフにすると、トラバ
ースシャーシ９が下動ｄ状態のままで停止され、この状態で、指部によりトラバースシャ
ーシ９を後進ｂ側に強制的に押し込んで、そのトレイ５をローダーシャーシ６内に戻すと
、図７に示すように、ターンテーブル８が下がったままで、そのターンテーブル８とクラ
ンパ１５とでトレイ５上のディスクＤａ（またはＤｂ）がクランプされていない状態にな
る。
【００３９】
そのクランプされていない状態で、図７に仮想線で示すように、筐体１を例えば別の場
所に運ぶために傾けることにより、トレイ５上のディスクＤａ（またはＤｂ）が大径凹部
１９を越えて後進ｂ側に移動して大きく外れようとしても、その移動を両ピン３２ａ，３
２ｂ及び各突起部３３ａ〜３３ｃで阻止するので、該ディスクＤａ（またはＤｂ）を大径
凹部１９内にとどめて、そのディスクＤａ（またはＤｂ）がローダーシャーシ６内の後部
に取り残されて取出し不能になるのを確実に防ぐことができる。
【００４０】
また、両ピン３２ａ，３２ｂの上端面３６と各突起部３３ａ〜３３ｃの下端面３５とが
互いに重合されているから、ディスクＤａ（またはＤｂ）がその両ピン３２ａ，３２ｂと
各突起部３３ａ〜３３ｃとの間をくぐり抜けるのを確実に阻止することができる。
【００４１】
更に、両ピン３２ａ，３２ｂ及び各突起部３３ａ〜３３ｃが比較的短く、その各突起部
３３ａ〜３３ｃが金属製であるから、搬送時や倉庫内の高温雰囲気により該両ピン３２ａ
，３２ｂ及び各突起部３３ａ〜３３ｃが熱変形されることがなく、その両ピン３２ａ，３
２ｂ及び各突起部３３ａ〜３３ｃの機能を確実に維持することができる。
【００４２】
ここで、大径ディスクＤｂが大径凹部１９を越えて後進ｂ側に移動した場合には、該大
径ディスクＤｂの外周縁が各突起部３３ａ〜３３ｃのテーパ状外周面３４に沿って両ピン
３２ａ，３２ｂの外周面まで押し下げられ、その移動が阻止される。
【００４３】
図８に一点鎖線で示すように、小径ディスクＤａがローダーシャーシ６の側板６ａに沿
って後進ｂ側に移動した場合には、図９（ａ）に示すように、該小径ディスクＤａの外周
縁が対向する外側突起部３３ａのテーパ状外周面３４に沿って押し下げられながらトレイ
５の中央に向かって導かれ（矢印ｇ方向）、その小径ディスクＤａが隣接するピン３２ａ
と中央の突起部３３ｂとで移動を阻止される〔図８の二点鎖線及び図９（ｂ）参照〕。
【００４４】
上記構成によれば、小径ディスクＤａであっても、ローダーシャーシ６の側板６ａに接
触して損傷されないようにローダーシャーシ６外に確実に取り出すことができる。
【００４５】
特に、両ピン３２ａ，３２ｂ及び各突起部３３ａ〜３３ｃが大径凹部１９に接近して位
置決めされており、小径ディスクＤａであっても従来のように大径凹部１９から後進ｂ側
に大きく外れてトレイ５の上面５ａに乗り上げることがないから、その小径ディスクＤａ
をローダーシャーシ６外にスムーズに取り出すことができる。
【００４６】
上記実施の形態では、各ピン３２ａ，３２ｂを基準仮想円Ｐａ上に配置したが、その変
形例として、図５に示すように、各ピン３２ａ，３２ｂを基準仮想円Ｐａよりわずかの間
隔ｎ（例えば０．５ｍｍ〜１ｍｍ）をおいて大径の外側仮想円Ｐｂ上に位置決めしてもよ
い。これによれば、各ピン３２ａ，３２ｂが各突起部３３ａ〜３３ｃよりも後側に位置す
るので、ディスクＤａ（またはＤｂ）の外周縁を各突起部３３ａ〜３３ｃのテーパ状外周
面３４に沿って各ピン３２ａ，３２ｂの外周面まで一層円滑に導くことができる。
【図面の簡単な説明】
【００４７】
【図１】本発明の実施の一形態であるディスク装置を示す水平断面図である。
【図２】同装置本体の斜視図である。
【図３】同装置本体の分解斜視図である。
【図４】同プレイモードの縦断面図である。
【図５】同トレイのローダーシャーシ収納状態の平面図である。
【図６】同要部の拡大横断面図である。
【図７】同アンクランプ状態の縦断面図である。
【図８】同小径ディスクの移動阻止状態を示す平面図である。
【図９】（ａ）は同小径ディスクの移動阻止状態の前段階を示す要部の拡大縦断面図、（ｂ）は同後段階を示す要部の拡大縦断面図である。
【図１０】従来例を示す水平断面図である。
【図１１】同縦断面図である。
【図１２】同要部の斜視図である。
【符号の説明】
【００４８】
１              筐体
５              トレイ
６              ローダーシャーシ
７              光ピックアップ
８              ターンテーブル
１７            開口部
１８            小径凹部
１９            大径凹部
３２ａ，３２ｂ  ピン
３３ａ〜３３ｃ  突起部
３４            突起部の外周面
３５            突起部の下端面
３６            ピンの上端面
Ｄａ            小径ディスク
Ｄｂ            大径ディスク
ｄ１            突起部の下端面の外径
ｄ２            ピンの外径
ｋ              中央の突起部の下端面とトレイの上面との間の間隔
Ｌａ            ピンの上端面の水平レベル
Ｌｂ            突起部の下端面の水平レベル
Ｐａ            基準仮想円
Ｐｂ            外側仮想円
ｔ              ディスクの厚さ
ａ，ｂ          前後進
ｃ，ｄ          上下動
ｅ，ｆ          左右方向
【図１】
2009266274.tif 000003
【図２】
2009266274.tif 000004
【図３】
2009266274.tif 000005
【図４】
2009266274.tif 000006
【図５】
2009266274.tif 000007
【図６】
2009266274.tif 000008
【図７】
2009266274.tif 000009
【図８】
2009266274.tif 000010
【図９】
2009266274.tif 000011
【図１０】
2009266274.tif 000012
【図１１】
2009266274.tif 000013
【図１２】
2009266274.tif 000014